(57)【要約】【課題】  力骨の複数個の面部に接着剤を塗布する作業を効率的に行え、作業効率の向上を図ることができる建材パネル用力骨の接着剤塗布装置及びその接着剤塗布方法を提供すること。【解決手段】  力骨６は、幅方向両側の２箇所に接着剤が塗布されるフランジ部１０を備えたチャンネル材からなり、ワーク送り手段６０，６１で送られるワーク送りラインの両側、すなわち力骨６の幅方向両側には、接着剤塗布ガン７７，８０が配置され、力骨６がワーク送りラインに沿って送られるときに、ガン７７，８０から接着剤が噴射されてこの接着剤が力骨６の２個のフランジ部１０に塗布され、ガン７７，８０は力骨６の長さ方向にずれて配置されているため、相打ち状態が防止される。【選択図】  図１１
2005288225.tif 000002
【特許請求の範囲】
【請求項１】
建材パネル用面材が接着剤で接合されるべき建材パネル用力骨の面部と対向して配置されていて、この面部に前記接着剤を噴射塗布するための接着剤塗布ガンを備え、この接着剤塗布ガンが、前記建材パネル用力骨に複数個設けられている前記面部と対応して複数個あることを特徴とする建材パネル用力骨の接着剤塗布装置。
【請求項２】
請求項１に記載の建材パネル用力骨の接着剤塗布装置において、前記面部は前記建材パネル用力骨の幅方向両側の２箇所にあり、これらの面部と対向して前記接着剤塗布ガンは前記建材パネル用力骨の幅方向両側に２個配置されていることを特徴とする建材パネル用力骨の接着剤塗布装置。
【請求項３】
請求項２に記載の建材パネル用力骨の接着剤塗布装置において、前記２個の接着剤塗布ガンは、前記建材パネル用力骨の長さ方向にずれて配置されていることを特徴とする建材パネル用力骨の接着剤塗布装置。
【請求項４】
請求項２又は３に記載の建材パネル用力骨の接着剤塗布装置において、前記２個の接着剤塗布ガンは、これらの接着剤塗布ガンから噴射される接着剤の２本の中心延長軸線が角度をなす姿勢となって配置されていることを特徴とする建材パネル用力骨の接着剤塗布装置。
【請求項５】
請求項４に記載の建材パネル用力骨の接着剤塗布装置において、前記２本の中心延長軸線がなす角度は、前記建材パネル用力骨の長さ方向と直交又は略直交する面内における角度であることを特徴とする建材パネル用力骨の接着剤塗布装置。
【請求項６】
請求項５に記載の建材パネル用力骨の接着剤塗布装置において、前記２個の接着剤塗布ガンのそれぞれは、ガン本体と、このガン本体から前記建材パネル用力骨の長さ方向と幅方向の両方に直交又は略直交する方向にずれて配置された接着剤噴射ノズルとを有して構成され、これらの接着剤塗布ガンは、互いに相手の接着剤塗布ガンの前記ガン本体から前記中心延長軸線が外れる側への傾斜姿勢となって配置されていることを特徴とする建材パネル用力骨の接着剤塗布装置。
【請求項７】
請求項４に記載の建材パネル用力骨の接着剤塗布装置において、前記２本の中心延長軸線がなす角度は、前記建材パネル用力骨の前記面部と直交又は略直交し、かつこの建材パネル用力骨の長さ方向と平行又は略平行となった面内における角度であることを特徴とする建材パネル用力骨の接着剤塗布装置。
【請求項８】
請求項２〜７のいずれかに記載の建材パネル用力骨の接着剤塗布装置において、前記２個の接着剤塗布ガンのうちの少なくとも１個は、前記建材パネル用力骨の幅方向に移動可能となっていることを特徴とする建材パネル用力骨の接着剤塗布装置。
【請求項９】
建材パネル用面材が接着剤で接合されるべき建材パネル用力骨を、この建材パネル用力骨の長さ方向に送るための作業工程と、前記建材パネル用力骨についての送りが行われているときに、この建材パネル用力骨に複数個設けられている面部のそれぞれと対向して配置された複数個の接着剤塗布ガンから接着剤を噴射し、前記建材パネル用力骨の長さ方向に連続しているそれぞれの前記面部に前記接着剤を塗布する作業工程とを含んでいることを特徴とする建材パネル用力骨の接着剤塗布方法。
【発明の詳細な説明】
【技術分野】
【０００１】
本発明は、建材パネルの力骨に接着剤を塗布するための装置及びその接着剤の塗布方法に係り、例えば、開き戸や引戸、間仕切りパネル、防煙垂れ壁パネル、防水パネル、防潮パネル、シャッターパネル等の建材パネルを構成する力骨に接着剤を塗布するために利用できるものである。
【背景技術】
【０００２】
開き戸や引戸等の建材パネルに関する下記の特許文献１には、力骨と面材とを含んで構成される建材パネルを生産するために、チャンネル材からなる力骨の面部となっている２個のフランジ部に、加熱されると溶融する加熱溶融型の接着剤を塗布し、これらのフランジ部に建材パネルの２つの表面を形成する２枚の上記面材を加熱しながら押圧することにより、力骨とこれらの面材とを接着剤で接合することが示されている。
【０００３】
このように力骨の２個のフランジ部に接着剤を塗布することは、従来、接着剤塗布用ロール装置により一方のフランジ部に接着剤を塗布した後、力骨を反転させ、次いで他方のフランジ部に接着剤塗布用ロール装置で接着剤を塗布することによって行われていた。
【特許文献１】特開平１２−７３６６９号（段落番号００１２及び００１３、図１、図２）
【発明の開示】
【発明が解決しようとする課題】
【０００４】
この従来技術によると、同じ接着剤塗布用ロール装置によって力骨のそれぞれのフランジ部に接着剤を個別に塗布するため、接着剤塗布作業に時間がかかり、また、力骨を反転させるための時間と手間もかかり、作業効率を向上させることは難しい。
【０００５】
本発明の目的は、力骨の複数個の面部に接着剤を塗布する作業を効率的に行え、作業効率の向上を図ることができるようになる建材パネル用力骨の接着剤塗布装置及びその接着剤塗布方法を提供するところにある。
【課題を解決するための手段】
【０００６】
本発明に係る建材パネル用力骨の接着剤塗布装置は、建材パネル用面材が接着剤で接合されるべき建材パネル用力骨の面部と対向して配置されていて、この面部に前記接着剤を噴射塗布するための接着剤塗布ガンを備え、この接着剤塗布ガンが、前記建材パネル用力骨に複数個設けられている前記面部と対応して複数個あることを特徴とするものである。
【０００７】
この建材パネル用力骨の接着剤塗布装置では、力骨の面部に接着剤を噴射塗布するための接着剤塗布ガンは、建材パネル用力骨に複数個設けられている面部と対応して複数個あるため、それぞれの面部に接着剤を塗布する作業をそれぞれの接着剤塗布ガンによって同時又は略同時に行える。このため、接着剤塗布作業を短時間で終了でき、力骨を反転させる作業も不要になるため、作業効率の向上を図ることができる。
【０００８】
本発明に係る建材パネル用力骨の接着剤塗布装置は、接着剤を塗布すべき複数個の面部が力骨の任意な箇所、例えば、幅方向両側の２箇所や、上部と側部の箇所、側部と下部の箇所等に設けられていても適用できる。そして、それぞれの面部が力骨の長さ方向に連続して延びるものとなっている場合には、接着剤塗布ガンの個数をこれらの面部の個数と同じ又はそれ以上の個数とし、接着剤塗布装置に、力骨と接着剤塗布ガンのうちの一方を力骨の長さ方向に移動させる装置を設けることにより、又は力骨と接着剤塗布ガンを互いに力骨の長さ方向の反対側へ移動させる装置を設けることにより、力骨と接着剤塗布ガンのうちの一方を力骨の長さ方向に移動させながら、又は力骨と接着剤塗布ガンを力骨の長さ方向の互いに反対側へ移動させながら、それぞれの接着剤塗布ガンから接着剤を噴射させることにより、それぞれの面部に接着剤を連続的に塗布する作業を行える。
【０００９】
接着剤を塗布すべき面部が力骨の幅方向両側の２箇所にある場合には、これらの面部と対向して力骨の幅方向両側に配置される２個の接着剤塗布ガンを力骨の長さ方向の同じ位置に配置してもよいが、これらの接着剤塗布ガンを力骨の長さ方向にずらして配置することが好ましい。
【００１０】
これによると、２個の接着剤塗布ガンを力骨の幅方向両側に配置し、それぞれの接着剤塗布ガンから噴射された接着剤のうちに力骨を飛び越えるものがあっても、これらの接着剤塗布ガンの配置位置は力骨の長さ方向にずれているため、それぞれの接着剤塗布ガンが互いに相打ち状態となって、一方の接着剤塗布ガンから噴射されて力骨を飛び越えた接着剤で他方の接着剤塗布ガンが汚損されるのを防止することができる。
【００１１】
また、このような相打ち状態を防止するためには、力骨の幅方向両側に配置された２個の接着剤塗布ガンを、これらの接着剤塗布ガンから噴射される接着剤の２本の中心延長軸線が角度をなす姿勢にして配置してもよい。
【００１２】
これによると、それぞれの接着剤塗布ガンから噴射される接着剤は、互いに相手の接着剤塗布ガンから外れる方向に飛ぶことになり、それぞれの接着剤塗布ガンが接着剤で汚損されるのを防止できる。
【００１３】
なお、ここでいう２本の中心延長軸線がなす角度とは、力骨の長さ方向と直交又は略直交する面内における角度でもよく、力骨の面部と直交又は略直交し、かつこの力骨の長さ方向と平行又は略平行となった面内における角度でもよく、これらが複合された角度でもよい。
【００１４】
そして、２個の接着剤塗布ガンから噴射される接着剤の２本の中心延長軸線がなす角度が力骨の長さ方向と直交又は略直交する面内における角度である場合であって、２個の接着剤塗布ガンのそれぞれが、ガン本体と、このガン本体から力骨の長さ方向と幅方向の両方に直交又は略直交する方向にずれて配置された接着剤噴射ノズルとを有して構成されている場合には、これらの接着剤塗布ガンを、互いに相手の接着剤塗布ガンのガン本体から中心延長軸線が外れる側への傾斜姿勢にして配置することが好ましい。
【００１５】
これによると、それぞれの接着剤塗布ガンが、ガン本体から力骨の長さ方向と幅方向の両方に直交又は略直交する方向にずれて配置された接着剤噴射ノズルを有していても、それぞれの接着剤噴射ノズルから噴射された接着剤が相手の接着剤塗布ガンのガン本体に向って飛ぶのを防止でき、それぞれの接着剤塗布ガンが接着剤で汚損されるのを防止できる。
【００１６】
また、２個の接着剤塗布ガンを、力骨の幅方向両側の２箇所の面部と対向して力骨の幅方向両側に配置する場合には、２個の接着剤塗布ガンのうちの少なくとも１個を力骨の幅方向に移動可能とすることが好ましい。
【００１７】
これによると、接着剤を塗布すべき面部を幅方向両側の２箇所に備えている力骨として幅寸法が異なる各種のものがある場合において、２個の接着剤塗布ガンのうちの少なくとも１個を力骨の幅方向に移動させることにより、それぞれの接着剤塗布ガンに関し、接着剤を塗布すべき面部と接着剤塗布ガンとの位置関係を、接着剤を塗布すべき面部と接着剤塗布ガンとが適正な同じ距離離れた位置関係に設定することができ、そして、幅寸法が異なるこれらの力骨の面部に接着剤を塗布する作業を同じ接着剤塗布装置を用いて行えるようになる。
【００１８】
本発明に係る建材パネル用力骨の接着剤塗布方法は、建材パネル用面材が接着剤で接合されるべき建材パネル用力骨を、この建材パネル用力骨の長さ方向に送るための作業工程と、前記建材パネル用力骨についての送りが行われているときに、この建材パネル用力骨に複数個設けられている面部のそれぞれと対向して配置された複数個の接着剤塗布ガンから接着剤を噴射し、前記建材パネル用力骨の長さ方向に連続しているそれぞれの前記面部に前記接着剤を塗布する作業工程とを含んでいることを特徴とするものである。
【００１９】
この建材パネル用力骨の接着剤塗布方法によると、それぞれの接着剤塗布ガンを建材パネル用力骨の長さ方向には不動に配置し、力骨をこの力骨の長さ方向に送ることにより、力骨の長さ方向に連続しているそれぞれの面部にそれぞれの接着剤塗布ガンからの接着剤を塗布することができ、この接着剤塗布作業を効率的に行える。
【００２０】
以上において、接着剤塗布ガンからの接着剤の噴射形態は任意であり、例えば、１条又は複数条の接着剤が圧縮エアーによって又は圧縮エアーによらずにスパイラルの軌跡を描きながらそのスパイラル径が次第に拡大するものでもよく、複数条の接着剤が噴射当初から放射状に拡大噴射されるものでもよく、１条の接着剤が直線状又は波形等の曲線状に噴射されるものでもよく、噴射当初から同一直径が連続している断面円形や断面楕円形等のものが噴射されるものでもよい。
【００２１】
また、以上説明した本発明は、任意な建材パネルの力骨に適用でき、その建材パネルは、開き戸でもよく、引戸でもよく、間仕切りパネルでもよく、防煙垂れ壁パネルでもよく、防水パネルでもよく、防潮パネルでもよく、シャッターパネル等でもよい。また、開き戸や引戸、間仕切りパネルは、防災区画を形成するための防災用の開き戸、引戸、間仕切りパネルでもよく、さらに、引戸は、引戸の移動を案内するためのガイド部材から吊り下げられた上吊り式引戸でもよい。
【００２２】
また、力骨は、建材パネルの外縁部を形成する外骨部材でもよく、建材パネルの内部に配置される中骨部材でもよい。
【００２３】
さらに、力骨は、チャンネル材からなるものでもよく、リップ付きチャンネル材からなるものでもよく、断面Ｈ形状となっているものでもよく、断面Ｉ形状となっているものでもよく、断面三角形となっているものでもよく、断面四角形となっているものでもよく、五角形以上の断面多角形となっているものでよい。また、力骨は、中空部材でもよく、中実部材でもよい。
【００２４】
さらに、力骨の材質は任意であり、例えば、アルミや鉄、合金等の金属でもよく、木材でもよく、合成樹脂でもよく、これらの複合材等でもよい。そして、力骨は、型材になっているものから製造されたものでもよく、型材になっていないものから製造されたものでもよい。
【００２５】
また、接着剤も、力骨と建材パネル用面材とを接着することができるものであれば、任意の種類のものでよく、例えば、力骨に塗布されてからこの力骨に建材パネル用面材が接合されるまで、接着力を持続するタイプのものでもよく、力骨に塗布されたときに冷却されて接着力が低下又は消滅し、力骨に建材パネル用面材を接合するためのホットプレス作業時に本来の接着力が回復するホットメルトタイプのものでもよく、ホットメルトタイプであって、空気中等における水分を吸収することで接着力が増大する反応性ホットメルトタイプ等のものでもよい。
【発明の効果】
【００２６】
本発明によると、力骨の複数個の面部に接着剤を塗布する作業を効率的に行え、作業効率の向上を図ることができるようになる。
【発明を実施するための最良の形態】
【００２７】
以下に本発明を実施するための形態を図面に基づいて説明する。図１は、本実施形態に係る接着剤塗布装置で接着剤が塗布される力骨を含んで構成されている建材パネルを示し、この建材パネルは、上吊り式の引戸１である。初めに、この引戸１について説明する。
【００２８】
引戸１は、図２で示す２枚の面材２と、図３で示す枠体３と、図５で示す芯材４と、図６で示す窓用枠５とを含んで構成され、枠体３は４個の力骨６を四角形に組み合わせて形成され、窓用枠５も４個の枠材７を四角形に組み合わせ形成されている。図２のそれぞれの面材２は、金属板をタレットパンチ装置やシャーリング装置等の加工機械で所定寸法に切断し、そして、図１で示されている窓８を設けるべき箇所に窓用開口部２Ａを開口形成することにより生産されている。図３で示す枠体３のそれぞれの力骨６は、アンコイラーから繰り出されたコイル材を所定寸法に切断するとともに、ロールフォーミング成形等することにより、ウェブ部９と、このウェブ部９の幅方向両端からウェブ部９に対し直角に同じ方向へ立ち上がった２個のフランジ部１０とを有するチャンネル材として生産されている。互いに平行又は略平行となっているこれらのフランジ部１０は、力骨６における接着剤で面材２が接合される面部となっている。
【００２９】
図３及び図４で示すとおり、４個の力骨６のうち、上側の横力骨６Ａにおけるそれぞれのフランジ部１０には、横力骨６Ａの長さ方向両端部を打ち抜き加工することにより、横力骨６Ａの長さ方向に突出した係合凸部１１が形成されている。また、両方の縦力骨６Ｂの上端には、引戸１の内側に向いたウェブ部９を含めて両方のフランジ部１０に係合凹部１２が形成されている。４個の力骨４を組み合わせて枠体３を形成する場合には、横力骨６Ａの係合凸部１１を縦力骨６Ｂの係合凹部１２に係合し、これらの力骨６Ａと６Ｂを溶接等で接合せず、また、図３で示す両方の縦力骨６Ｂと下側の横力骨６Ｃは単に接触させ、これらの力骨６Ｂと６Ｃも溶接等で接合しない。
【００３０】
図５の芯材４は格子状又は蜂の巣状等に形成されたへーパーコアであり、図１で示されている窓８を設けるべき箇所に窓用開口部４Ａが形成されている。図６で示す窓用枠５のためのそれぞれの枠材７は木製であり、所定寸法に切断されて生産された枠材７の２つの表面に回転カッター装置等によって溝１３を形成した後、４個の枠材７を四角形に組み合わせてステープル等の結合具１４で結合することにより、窓用枠５が形成される。このようにして窓用枠５が形成されたときには、それぞれの溝１３が直列に接続することによって窓用枠５の全周に亘って連続している連続溝１５が、窓用枠５の内周部の近くに形成されている。
【００３１】
以上の２枚の面材２と、４個の力骨６からなる枠体３と、芯材４と、４個の枠材７からなる窓用枠５とによって図１で示した引戸１を製造するためには、それぞれの力骨６の２個のフランジ部１０と、芯材４の２つの表面と、窓用枠５の２つの表面とに接着剤を塗布する。この接着剤は、加熱されると溶融状態になるとともに、冷却されることにより硬化し、かつ溶融時に空気中の湿気や接着相手の水分を吸収することで反応して接着強度が大きくなる反応性ホットメルト接着剤であり、上記力骨６の２個のフランジ部１０と、芯材４の２つの表面と、窓用枠５の２つの表面とに塗布されるときには加熱されて溶融状態となっており、塗布後は自然冷却により硬化する。
【００３２】
なお、力骨６の２個のフランジ部１０に接着剤を塗布する際に、外部環境温度等のために力骨６の温度が、接着剤が付着しにくい温度又は付着しない温度まで低下しているときには、温風等で力骨６を暖めてから接着剤塗布作業を行う。
【００３３】
上記接着剤の塗布作業後、２枚の面材２のうち、１枚の面材２の上に芯材４を置き、この芯材４の外周に、４個の力骨６を前述したように互いに溶接等で接合せずに四角形に組み合わて配置するとともに、芯材４の窓用開口部４Ａの内部に窓用枠５を配置し、そしてこれらの上に残りの面材２を載せるというアッセンブリ作業を行い、次いで、この作業で製造されたアッセンブリ製造体をホットプレスする作業を行い、このホットプレス作業で溶融状態となった接着剤を、アッセンブリ製造体を次にコールドプレスしたときに冷却させ、これにより、力骨６の２個のフランジ部１０と、芯材４の２つの表面と、窓用枠５の２つの表面とに２枚の面材２を接着剤で接合し、図１で示した引戸１を生産する。
【００３４】
図７は、以上のようにしてなされる引戸１の生産作業を、各工程順に示した作業工程図である。面材２は面材製造工程２０で製造され、力骨製造工程２１で製造された力骨６の２個のフランジ部１０には、接着剤塗布作業工程２２で接着剤が塗布され、芯材製造工程２３で製造された又は芯材製造メーカーから納入された芯材４の２つの表面には、接着剤塗布作業工程２４で接着剤が塗布され、窓用枠製造工程２５において４個の枠材７を結合具１４で結合することで製造された窓用枠５の２つの表面には、接着剤塗布作業工程２６で接着剤が塗布される。そして、これらの面材２と力骨６と芯材４と窓用枠５からアッセンブリ工程２７で上記アッセンブリ製造体が製造され、このアッセンブリ製造体は、ホットプレス工程２８でホットプレスされ、さらに、コールドプレス工程２９でコールドプレスされる。
【００３５】
以上のようにして生産される引戸１では、それぞれの力骨６は接着剤と面材２を介して接合されることになり、これらの力骨６は溶接等では接合されていないが、上側の横力骨６Ａと縦力骨６Ｂは、前述した係合凸部１１と係合凹部１２の係合によって噛み合わせ状態となっているため、引戸１が、この引戸１の移動を案内するガイドレール等のガイド部材から吊り下げられる上吊り式引き戸であっても、上側の横力骨６Ａよりも下側の引戸１の自重をこの横力骨６Ａによって有効に支持することができる。
【００３６】
なお、図８は、図７の接着剤塗布作業工程２４において、芯材４の２つの表面に接着剤を塗布するための作業を説明している。芯材４がベルトコンベア等の搬送手段３０で搬送されているときに、この搬送手段３０の所定位置に配置されている接着剤塗布用ロール装置３１の接着剤滲出ロール３１Ａによって芯材４の一方の表面に接着剤が塗布され、この接着剤が自然冷却して搬送手段３０の終端側から排出された芯材４は台車３２に載せられる。この台車３２に所定個数の芯材４が積載されると、台車３２が搬送手段３０の始端側に走行移動され、この台車３２から芯材４が搬送手段３０に順次送り込まれ、このとき芯材４は上下反転される。これにより、搬送手段３０で搬送されるそれぞれの芯材４の他方の表面に、接着剤塗布用ロール装置３１の接着剤滲出ロール３１Ａで接着剤が塗布され、このようにして２つの表面に接着剤が塗布された芯材４は、図７のアッセンブリ工程２７に送られる。
【００３７】
また、図７のコールドプレス工程２９を経た後のアッセンブリ製造体の窓８には、図９で示すように、ガラス等による透明又は半透明の板材４０が、窓用枠５の内周面にビス等で固定される押し縁４２，４３で取り付けられる。上述したように、窓用枠５の２つの表面には面材２を接合するための接着剤が塗布され、この接着剤は、図７のホットプレス工程２８で面材２が窓用枠５に押圧されたときに展開流動するが、窓用枠５の内周側へ展開流動する接着剤は前記溝１３に落ちるため、余分な接着剤が窓用枠５の内側へ出現するのを防止できる。
【００３８】
図１０の実施形態では、窓用枠５を構成するそれぞれの枠材７の内周部に溝５３を形成している。これによっても、窓用枠５の内周側へ展開流動する接着剤を溝５３に落とし、余分な接着剤が窓用枠５の内側へ出現するのを防止できる。
【００３９】
次に、力骨６の２個の面部であるフランジ部１０に接着剤を塗布する作業を説明する。図１１は、本実施形態に係る接着剤塗布装置を制御系を含めて示した平面図であり、図１２は、接着剤塗布装置の側面図である。
【００４０】
本実施形態に係る接着剤塗布装置は、力骨６の送り方向に配置された２台のワーク送り手段６０，６１を備えており、それぞれのワーク送り手段６０，６１は、力骨６が載る下側の従動ロール６２と、上側の駆動円板６３とを有し、駆動円板６３はサーボモータ６４で回転する。それぞれの力骨６は、ウェブ９を下側として図示外のワーク送り込み装置によってワーク送り手段６０の従動ロール６２と駆動円板６３との間に送り込まれ、これらの従動ロール６２と駆動円板６３で挟着される力骨６は、ワーク送り手段６０のサーボモータ６４による駆動円板６３の回転により、従動ロール６２を回転させながらワーク送り手段６１の側へ送られる。そして、このワーク送り手段６１の従動ロール６２と駆動円板６３との間に送り込まれた力骨６は、ワーク送り手段６１のサーボモータ６４による駆動円板６３の回転によって排出側へ送られる。
【００４１】
なお、下側のロールをサーボモータで回転する駆動ロールとし、上側の円板を従動円板としてもよい。
【００４２】
ワーク送り手段６０と６１の間には、これらのワーク送り手段６０，６１で水平又は略水平に送られているときの力骨６の２個のフランジ部１０に接着剤を塗布するための接着剤塗布手段６５が配設されている。この接着剤塗布手段６５は、ワーク送り手段６０と６１によって形成されるワーク送りラインに対する一方の横側に配置された不動ガイド手段６６と、他方の横側に配置された移動ガイド手段６７とを有し、不動ガイド手段６６は、両方のガイド手段６６，６７の下側に設けられているベース部材６８に固定されており、移動ガイド手段６７は、電磁切替式シリンダ６９のピストンロッドの伸縮動によってガイド部材７０で案内されながら上記ワーク送りラインに対して進退する方向へ、言い換えると、力骨６の２個のフランジ部１０の間隔方向である力骨６の幅方向へ移動する。
【００４３】
不動ガイド手段６６は、ベース部材６８と平行な板部材７１と、この板部材７１のワーク送りライン側の端部に力骨送り方向に並設された複数のガイドローラ７２とを含んで構成されており、また、移動ガイド手段６７も、ベース部材６８と平行な板部材７３と、この板部材７３のワーク送りライン側の端部に力骨送り方向に並設された複数のガイドローラ７４とを含んで構成されている。上記電磁切替式シリンダ６９とガイド部材７０は、ベース部材６８と板部材７３との間に配置されている。
【００４４】
力骨６がワーク送り手段６０によってワーク送り手段６１の側へ送られるときには、力骨６の一方のフランジ部１０は、不動ガイド手段６６の回転自在なガイドローラ７２に接触して案内され、また、他方のフランジ部１０は、後述するようにワーク送りラインの側へ前進した移動ガイド手段６７の回転自在なガイドローラ７４に接触して案内される。
【００４５】
不動ガイド手段６６の板部材７１には電磁切替式シリンダ７５が取り付けられ、このシリンダ７５の上下方向に伸縮するピストンロッドには、複数のバー部材の組み合わせからなるバー組合体７６を介して接着剤塗布ガン７７が取り付けられている。移動ガイド手段６７の板部材７３にも電磁切替式シリンダ７８が取り付けられ、このシリンダ７８の上下方向に伸縮するピストンロッドには、複数のバー部材の組み合わせからなるバー組合体７９を介して接着剤塗布ガン８０が取り付けられている。この接着剤塗布ガン８０は、上記シリンダ６９により、移動ガイド手段６７と共に、力骨６の２個のフランジ部１０の間隔方向である力骨６の幅方向へ移動する。
【００４６】
また、２個の接着剤塗布ガン７７，８０は、電磁切替式シリンダ７５，７８のピストンロッドの伸縮動により、ワーク送り手段６０，６１により一定高さ位置で送られる力骨６に対する高さ位置が調整される。
【００４７】
図１１で示されているとおり、力骨６の幅方向両側の２箇所に設けられているフランジ部１０と対向している２個の接着剤塗布ガン７７と８０は、力骨６の長さ方向である力骨６の送り方向へのずれ量Ａをもって配置されている。
【００４８】
また、これらの接着剤塗布ガン７７と８０は、図１２で示されているように、ガン本体８１と、ガン本体８１から力骨６の長さ方向と幅方向の両方に直交する方向、すなわち上下方向にずれた位置に設けられた接着剤噴射ノズル８２とを有しているとともに、それぞれのガン７７，８０は、力骨６の上下方向に延びる向きとなっているフランジ部１０に対して斜め下向きの姿勢で配置されている。このため、これらのガン７７，８０は、ノズル８２から噴射される接着剤の２本の中心延長軸線Ｎ１とＮ２が角度αをなす傾き姿勢となって配置され、角度αは、力骨６の長さ方向と直交する面内、すなわち鉛直面内における角度となっている。
【００４９】
また、それぞれのガン７７，８０は、ガン本体８１が上側で、ノズル８２が下側となって配置されているため、互いに相手の接着剤塗布ガンのガン本体８１から上記中心延長軸線Ｎ１，Ｎ２が外れる側への傾斜姿勢となっている。
【００５０】
図１３はそれぞれのガン７７，８０のノズル８２から噴射される１条の接着剤の軌跡８３を示し、この軌跡８３は、スパイラル軌跡であって、そのスパイラル径Ｄは、ノズル８２から遠ざかるにしたがい次第に拡大するもの、言い換えると、力骨６のフランジ部１０に向って次第に拡大するものとなっている。このようにノズル８２から１条の接着剤をスパイラル軌跡８３となって噴射できるようにするために、ノズル８２の先端面を示している図１４のとおり、接着剤噴射孔８４の周囲に複数のエアー噴出孔８５が等角度間隔で形成されているとともに、これらのエアー噴出孔８５は、接着剤噴射孔８４から次第に遠ざかりながら同じ円周方向へ湾曲形成されたそれぞれのエアー通路８６の先端部に形成されている。
【００５１】
ノズル８２の断面図を示している図１５のように、接着剤噴射孔８４は接着剤供給通路８７の先端部に形成され、また、それぞれのエアー通路８６には、エアー供給通路８８からエアーが分配供給される。
【００５２】
接着剤噴射孔８４から加熱されて溶融状態となっている接着剤が噴射されるときに、それぞれのエアー噴出孔８５から圧縮エアーが同時に噴出し、これらの圧縮エアーは、湾曲形成されているエアー通路８６を通過してスパイラルの噴出軌跡を描くため、これらの圧縮エアーに巻き込まれながら噴射する接着剤の軌跡は、図１３で示したスパイラル軌跡８３となり、そのスパイラル径Ｄは、力骨６のフランジ部１０に向って次第に拡大する。
【００５３】
そして、ノズル８２からの距離が同じ場所におけるスパイラル軌跡８３のスパイラル径Ｄは、エアー噴出孔８５から噴出するエアーの圧力が大きくなった場合に、大きくなり、また、エアー噴出孔８５から噴出するエアーの圧力が同じ値である場合には、ノズル８２からの距離が大きい場所でスパイラル径Ｄは大きくなる。
【００５４】
なお、これらの場合において、接着剤噴射孔８４からの単位時間当たりの接着剤噴射量は同じである。
【００５５】
それぞれのガン７７，８０の接着剤供給通路８７には、図１１で示されている接着剤供給パイプライン９０が接続され、また、それぞれのガン７７，８０のエアー供給通路８８には、エアー供給パイプライン９１が接続されている。接着剤供給パイプライン９０の上流側には、タンク９２からの加熱溶融状態となっている接着剤をガン７７，８０に圧送するためのコンプレッサー９３が配置され、このパイプライン９０の途中には、電磁式開閉弁９４が設けられている。また、エアー供給パイプライン９１の上流端には、圧縮エアーをガン７７，８０に供給するためのコンプレッサー９５が設けられているとともに、このパイプライン９１の途中には、ガン７７，８０に供給する圧縮エアーの圧力を調整するための圧力調整手段である電気式レギュレーター９６が配置され、さらに電磁式開閉弁９４も配置されている。この電磁式開閉弁９４は、本実施形態では、接着剤供給パイプライン９０の電磁式開閉弁９４と同じになっているが、これらの電磁式開閉弁を別々の電磁式開閉弁としてもよい。
【００５６】
また、コンプレッサー９３，９５は、接着剤、圧縮エアーをガン７７，８０に供給できれば任意なタイプのものでよく、アプリケータとポンプを組み合わせたものでもよく、専用のコンプレッサー等でもよい。また、電気式レギュレーター９６も、ガン７７，８０に供給する圧縮エアーの圧力調整機能を有する１台のものでもよく、それぞれ設定された圧縮エアーの圧力が異なる複数台のものからなり、これらを電磁弁等で切り換えることにより、ガン７７，８０に供給する圧縮エアーの圧力を調整するものでもよい。
【００５７】
前記ワーク送り手段６０よりもワーク送り方向上流側には、ワーク検出手段１００が配置され、このワーク検出手段１００は、発光器１００Ａと受光器１００Ｂを有する光電式検出手段であり、発光器１００Ａからの光が力骨６で遮断されて受光器１００Ｂで受光されないことにより、ワーク検出手段１００で力骨６が検出される。また、発光器１００Ａから発光されて受光器１００Ｂで受光される光は、力骨６の高さ方向の寸法を有しているため、このワーク検出手段１００では、力骨６の高さ寸法、言い換えると、フランジ部１０の上下寸法も検出される。したがって、本実施形態におけるワーク検出手段１００は、力骨６の長さ方向及び幅方向に直交する方向である上下方向におけるフランジ部１０の寸法を検出するためのフランジ部寸法検出手段ともなっている。
【００５８】
ワーク検出手段１００は、演算手段や記憶手段を有する制御装置１０１に接続され、ワーク検出手段１００で検出された力骨６に関する情報は制御装置１０１に入力する。また、制御装置１０１は、前述したワーク送り手段６０，６１のサーボモータ６４と、移動ガイド手段６７の電磁切替式シリンダ６９と、力骨６に対する接着剤塗布ガン７７，８０の高さ位置を調整する電磁切替式シリンダ７５，７８と、接着剤供給パイプライン９０やエアー供給パイプライン９１の電磁式開閉弁９４及び電気式レギュレーター９６を駆動制御する。
【００５９】
次に、制御装置１０１の制御のもとでなされる力骨６のフランジ部１０への接着剤塗布作業について説明する。
【００６０】
ワーク送り手段６０よりもワーク送り方向上流側に配置されているワーク送り込み手段による送り込みによって力骨６の長さ方向先端がワーク検出手段１００の配置位置に達すると、この情報がワーク検出手段１００で検出されて制御装置１０１に入力する。これに基づき制御装置１０１は、ワーク送り手段６０，６１のサーボモータ６４を駆動させ、これにより、力骨６をワーク送り手段６０でワーク送り手段６１側へ送り移動させること、及び力骨６をさらにワーク送り手段６１で排出側へ送り移動させることが行われる。
【００６１】
また、ワーク検出手段１００が力骨６の長さ方向先端を検出すると、電磁切替式シリンダ６９は制御装置１０１からの信号でピストンロッドを伸長させる作動を行い、これにより、移動ガイド手段６７は、図１６で示されているように、ワーク送りライン側へ前進し、力骨６は、この移動ガイド手段６７のガイドローラ７４と不動ガイド手段６６のガイドローラ７２とで２個のフランジ部１０が案内されながら送り移動される。
【００６２】
また、ワーク検出手段１００が力骨６の長さ方向先端を検出すると、制御装置１００は、制御装置１００の記憶手段に記憶されているサーボモータ６４の回転速度に関するデータと、演算手段の演算機能とにより、サーボモータ６４の回転速度にしたがった力骨６の送り移動速度を演算し、この演算結果に基づき、制御装置１０１は、力骨６の長さ方向先端が接着剤塗布ガン７７の配置位置に達したときに、電磁式開閉弁９４を開く制御を行う。これにより、それぞれの接着剤塗布ガン７７，８０の接着剤噴射孔８４からは加熱溶融状態の接着剤が、エアー噴出孔８５からは圧縮エアーがそれぞれ噴射し、これにより、接着剤はノズル８２から図１３で示したスパイラル軌跡８３を描きながら力骨６に向って飛び、そして、力骨６の２個のフランジ部１０に付着する。
【００６３】
ワーク検出手段１００が力骨６を検出しなくなると、言い換えると、力骨６の長さ方向後端がワーク検出手段１００の配置位置を通過すると、この情報が入力した制御装置１０１は、上記した力骨６の送り移動速度の演算結果に基づき、力骨６の長さ方向後端が接着剤塗布ガン８０の配置位置に達したときに、電磁式開閉弁９４を閉じる制御を行う。これにより、それぞれの接着剤塗布ガン７７，８０からの接着剤と圧縮エアーの噴射は停止する。また、制御装置１０１で電磁切替式シリンダ６９が制御されることにより、このシリンダ６９のピストンロッドは収縮動し、これにより、移動ガイド手段６７はもとの後退位置に戻る。
【００６４】
以上により、力骨６の幅方向両側に２個設けられているフランジ部１０に接着剤が自動作業で塗布されたことになる。
【００６５】
なお、本実施形態では、前記電磁式開閉弁９４は２個の接着剤塗布ガン７７，８０について共通のものとなっているが、制御装置１０１で開閉タイミングが制御されるこの電磁式開閉弁を、ガン７７と８０とでそれぞれ別のものとし、これにより、力骨６の全長又は略全長に亘って接着剤をそれぞれのフランジ部１０に噴射、付着させるようにしてもよい。
【００６６】
以上説明した本実施形態によると、力骨６の幅方向両側の２箇所にあるフランジ部１０と対応して、力骨６の幅方向両側に２個の接着剤塗布ガン７７，８０が配置されているため、それぞれのフランジ部１０への接着剤塗布作業をそれぞれのガン７７，８０によって行え、このため、力骨６を反転させるなどの作業を行うことなく接着剤塗布作業を終了でき、この作業を効率的に行える。
【００６７】
また、接着剤塗布作業は、力骨６をワーク送り手段６０，６１で力骨６の長さ方向に送り移動させるときに、それぞれのガン７７，８０から接着剤及び圧縮エアーを連続させて噴射することにより行うため、力骨６のフランジ部１０が力骨６の長さ方向に延びるものとなっていても、フランジ部１０に接着剤を連続状態で付着させることができ、力骨６を接着剤塗布装置が設置されている場所を通過させることにより、この接着剤の連続塗布作業を効率的に行える。
【００６８】
さらに、図１１で説明したように、２個のガン７７，８０は力骨６の長さ方向の同じ位置に配置されておらず、この長さ方向のずれ量Ａをもって配置されているため、それぞれのガン７７，８０から噴射された接着剤の一部が力骨６を飛び越えることがあっても、この接着剤の一部で互いに相打ち状態となるのを防止できる。
【００６９】
また、図１２で示したように、２個のガン７７，８０は、ノズル８２から噴射される接着剤の２本の中心延長軸線Ｎ１とＮ２が、力骨６の長さ方向と直交する面内である鉛直面内における角度αをなす傾き姿勢となって配置されているため、この角度αによっても相打ち状態を一層有効に防止できる。
【００７０】
さらに、それぞれのガン７７，８０は、ガン本体８１と、ガン本体８１から力骨６の長さ方向と幅方向の両方に直交する上下方向にずれた位置に設けられた接着剤噴射ノズル８２とを含んで構成されているが、ガン本体８１が上側で、ノズル８２が下側となっており、それぞれのガン７７，８０は、力骨６に対して斜め下向きの傾斜姿勢となっていて、互いに相手のガン本体８１から中心延長軸線Ｎ１，Ｎ２が外れる側への傾斜姿勢となっているため、それぞれのガン７７，８０から噴射された接着剤の一部が力骨６を飛び越えても、この接着剤の一部でガン本体８１が汚損されるのを防止できる。
【００７１】
図１６で示した力骨６は幅寸法がＷ１のものであったが、図１７は、幅寸法がＷ１よりも大きいＷ２となっている力骨１０６が本実施形態に係る接着剤塗布装置に送られてきたときを示す。このときには、電磁切替式シリンダ６９で移動ガイド手段６７がワーク送りライン側へ前進する量は、移動ガイド手段６７のガイドローラ７４が力骨１０６の一方のフランジ部１１０に当接するまでであるため、この前進量は、図１６の力骨６の場合よりも小さい。
【００７２】
そして、力骨１０６のそれぞれのフランジ部１１０に移動ガイド手段６７のガイドローラ７４と不動ガイド手段６６のガイドローラ７２が当接した状態では、それぞれのガン７７，８０について、ノズル８２とフランジ部１１０との間隔は、力骨６のときのＬと同じになる。
【００７３】
このため、幅寸法が異なる各種の力骨については、２個のガン７７，８０のうちの一方のガン８０を力骨の幅方向に移動可能とすることにより、それぞれのガン７７，８０からの接着剤や圧縮エアーの噴射条件等を変更することなく、これらの力骨のフランジ部に所望どおりの状態で接着剤を付着させることができる。
【００７４】
図１８で示す力骨２０６のフランジ部２１０の高さ寸法はＨ１であり、図１９で示す力骨３０６のフランジ部３１０の高さ寸法は、Ｈ１よりも大きいＨ２である。このように、力骨の長さ方向及び幅方向に直交する方向であるフランジ部１０の高さ方向の寸法が異なっている力骨が本実施形態に係る接着剤塗布装置に送られてきたときには、この情報は、前述したとおり、ワーク検出手段１００の発光器１００Ａから発光されて受光器１００Ｂで受光される光は力骨６の高さ方向の寸法を有していることから、フランジ部寸法検出手段となっているこのワーク検出手段１００で検出される。
【００７５】
本実施形態に係る接着剤塗布装置に送られてきた力骨が図１９の力骨３０６である場合には、制御装置１００は、記憶手段に記憶されている力骨の高さ寸法に関するデータと、ワーク送り手段６０，６１のサーボモータ６４の回転速度に関するデータとに基づき、サーボモータ６４の適切な回転速度を演算手段で決定し、サーボモータ６４の駆動を制御する。これにより、ワーク送り手段６０，６１は、図１８の力骨２０６のときよりも遅い速度で力骨３０６を送り移動させる。
【００７６】
また、制御装置１０１は、図１１で示したエアー供給パイプライン９１の電気式レギュレーター９６を制御するとともに、それぞれのガン７７，８０の高さ位置を調整するための電磁切替式シリンダ７５，７８も制御する。これにより、力骨２０６よりも高さ寸法が大きいＨ２となっている力骨３０６に対して、それぞれのガン７７，８０の高さ位置は、この力骨３０６の高さ寸法Ｈ２に適合した高さ位置になるとともに、電気式レギュレーター９６が制御されることにより、それぞれのガン７７，８０に供給される圧縮エアーの圧力が図１８の力骨２０６のときよりも大きくなる。
【００７７】
このため、それぞれのガン７７，８０のノズル８２から同じ距離となっている場所での接着剤のスパイラル径Ｄは大きくなり、したがって、図１９の力骨３０６の高さ寸法Ｈ２が、図１８の力骨２０６の高さ寸法Ｈ１よりも大きくなっていても、この力骨２０６のときよりもそれぞれのガン７７，８０に供給する圧縮エアーの圧力が大きくなることにより、力骨２０６のフランジ部２１０に付着する接着剤２２０のスパイラル径Ｄ１と同じく、力骨３０６のフランジ部３１０に付着する接着剤３２０のスパイラル径Ｄ２を、フランジ部３１０の略全体高さに亘る大きさにすることができる。
【００７８】
このため、それぞれのガン７７，８０に供給される圧縮エアーの圧力を調整するための圧力調整手段となっている電気式レギュレーター９６は、本実施形態では、力骨のフランジ部に付着する接着剤のスパイラル径Ｄの大きさを調整するためのスパイラル径調整手段にもなっている。
【００７９】
また、本実施形態では、ワーク送り手段６０，６１による力骨３０６の送り移動速度が力骨２０６のときよりも低下することにより、それぞれのガン７７，８０のノズル８２から噴射される単位時間当たりの接着剤の量が同じであって、図１９で示すフランジ部３１０に付着する接着剤３２０のスパイラル径Ｄ２が、図１８で示す力骨２０６のフランジ部２１０に付着する接着剤２２０のスパイラル径Ｄ１よりも大きくなっても、力骨３０６の長さ方向における単位長さ当たりの接着剤３２０の付着量、すなわち、力骨３０６の長さ方向における接着剤３２０の付着密度を、力骨２０６のときと同程度とすることができ、これにより、適切な接着剤付着密度を得られる。
【００８０】
このように、図１８及び図１９の実施形態の場合には、力骨のフランジ部の高さ寸法を検出するための寸法検出手段になっているワーク検出手段１００によってなされるフランジ部の高さ寸法検出作業工程の後に、制御装置１０１がワーク送り手段６０，６１のサーボモータ６４を駆動制御することにより力骨をワーク送りラインに沿って送り移動させる送り移動作業工程と、制御装置１０１が電気式レギュレーター９６制御してそれぞれのガン７７，８０に供給される圧縮エアーの圧力を調整し、制御装置１０１が電磁開閉弁９４を駆動制御することにより力骨のフランジ部にそれぞれのガン７７，８０から接着剤をスパイラル軌跡８３として噴射、塗布する接着剤噴射塗布作業工程とがなされるとともに、送り移動作業工程における力骨の送り移動速度と、接着剤噴射塗布作業工程においてそれぞれのガン７７，８０から噴射する圧縮エアーの圧力は、フランジ部の高さ寸法検出作業工程で検出されるフランジ部の高さ寸法に基づいた大きさとなり、これにより、フランジ部の高さ寸法が異なる各種の力骨について、同じ接着剤塗布装置を用いて効率的に接着剤塗布作業を行える。
【００８１】
図２０で示す実施形態でも、２個の接着剤塗布ガン７７，８０は、それぞれのノズル８２から噴射される接着剤の中心延長軸線Ｎ１，Ｎ２が角度βをなす傾斜姿勢となって配置されているが、この角度βは、力骨６のフランジ部１０と直交し、かつこの力骨６の長さ方向と平行又は略平行となった面内、具体的には水平面内における角度である。
【００８２】
この実施形態によっても、図１２の角度αと同じく、それぞれのガン７７，８０による相打ち状態を防止できる。
【００８３】
図２１は、図１８の力骨２０６と図１９の力骨３０６のように高さ寸法が異なる各種の力骨について、それぞれのガン７７，８０のノズル８２から噴射する圧縮エアーの圧力を変更しなくても対処できるようにした実施形態を示す。
【００８４】
この実施形態では、不動ガイド手段６６、移動ガイド手段６７に配置されているガン７７，８０の高さ位置調整用の電磁切替式シリンダ７５，７８のピストンロッドには、これらのピストンロッドの伸縮動で昇降する昇降部材４００，４０１が取り付けられ、これらの昇降部材４００，４０１に、サーボモータ４０２，４０３で回転するボールねじ４０４，４０５が配置されている。ガン７７，８０が取り付けられているバー組合体７６，７９は、これらのボールねじ４０４，４０５に螺合するナット部材４０６，４０７を備えているため、サーボモータ４０２，４０３でボールねじ４０４，４０５が正逆回転することにより、それぞれのガン７７，８０は力骨に対して進退し、力骨に対する距離が変更される。
【００８５】
サーボモータ４０２，４０３は、ワーク検出手段１００で検出された力骨のフランジ部の高さ寸法に関する情報が入力する制御装置１０１で制御されるため、それぞれのガン７７，８０の力骨に対する距離は、言い換えると、それぞれのガン７７，８０と力骨との間隔は、力骨のフランジ部の高さ寸法に応じて調整され、フランジ部の高さ寸法が大きい力骨については、それぞれのガン７７，８０と力骨との間隔は大きくなる。
【００８６】
それぞれのガン７７，８０のノズル８２から噴射される圧縮エアーの圧力が同じ値であっても、ノズル８２から噴射される接着剤のスパイラル径Ｄは、ノズル８２からの距離に応じて次第に大きくなるため、この実施形態によると、制御装置１０１が、図１１で示したエアー供給パイプライン９１の電気式レギュレーター９６を制御せず、この代わりにサーボモータ４０２，４０３を制御してガン７７，８０と力骨との距離を調整することにより、ワーク送り手段６０，６１のサーボモータ６４が制御装置１０１で制御されて前記ワーク送りラインにおける力骨の送り移動速度が図１１の実施形態と同様に調整されることと併せ、図１８及び図１９で示した力骨２０６，３０６への接着剤２２０，３２０の付着状態と同じ状態を得られる。
【００８７】
すなわち、この実施形態では、サーボモータ４０２，４０３は、それぞれのガン７７，８０と力骨との間隔を調整するための間隔調整手段になっているとともに、力骨のフランジ部に付着する接着剤のスパイラル径を調整するためのスパイラル径調整手段にもなっている。
【００８８】
そして、ワーク検出手段１００は、力骨のフランジ部の高さ寸法を検出するための寸法検出手段になっているとともに、この寸法検出手段によってなされるフランジ部の高さ寸法検出作業工程の後に、制御装置１０１がワーク送り手段６０，６１のサーボモータ６４を駆動制御することにより力骨をワーク送りラインに沿って送り移動させる送り移動作業工程と、制御装置１０１がサーボモータ４０２，４０３を制御してそれぞれのガン７７，８０と力骨との間隔を調整し、制御装置１０１が電磁開閉弁９４を駆動制御することにより力骨のフランジ部にそれぞれのガン７７，８０から接着剤をスパイラル軌跡８３として噴射、塗布する接着剤噴射塗布作業工程とがなされ、送り移動作業工程における力骨の送り移動速度と、接着剤噴射塗布作業工程におけるそれぞれのガン７７，８０と力骨との間隔は、フランジ部の高さ寸法検出作業工程で検出されるフランジ部の高さ寸法に基づいた大きさとなり、これにより、フランジ部の高さ寸法が異なる各種の力骨について、同じ接着剤塗布装置を用いて効率的に接着剤塗布作業を行える。
【産業上の利用可能性】
【００８９】
本発明は、建材パネルを構成する力骨に、この力骨の面部に建材パネル用面材を接合するための接着剤を塗布するために利用できる。
【図面の簡単な説明】
【００９０】
【図１】本発明の一実施形態に係る装置によって接着剤が塗布される力骨が構成部材となって製造され、建材パネルとなっている上吊り式引戸を示す斜視図である。
【図２】図１の上吊り式引戸の構成部材である面材の斜視図である。
【図３】図１の上吊り式引戸の構成部材であって、４個の力骨によって形成される枠体の斜視図である。
【図４】図３の４個の力骨のうち、上側の横力骨と縦力骨との係合関係を示すこれらの力骨の要部分解斜視図である。
【図５】図１の上吊り式引戸の構成部材である芯材の斜視図である。
【図６】図１の上吊り式引戸の構成部材である窓用枠の斜視図である。
【図７】図１の上吊り式引戸の生産作業を各工程順に示した作業工程図である。
【図８】芯材の２つの表面に接着剤を塗布する作業を示す概念図である。
【図９】図１で示されている窓に、押し縁で取り付けられたガラス等の板材が配置された後を示す断面図である。
【図１０】窓用枠を形成している枠材に設ける溝を、図９とは異なる箇所に設けている実施形態を示す断面図である。
【図１１】本発明の一実施形態に係る接着剤塗布装置を制御系を含めて示す平面図である。
【図１２】図１１の接着剤塗布装置の側面図である。
【図１３】接着剤塗布ガンから噴射される接着剤の軌跡を示す図である。
【図１４】接着剤塗布ガンの接着剤噴射ノズルの先端面を示す図である。
【図１５】接着剤噴射ノズルの断面図である。
【図１６】図１２の要部を示す図であって、力骨の２個のフランジ部に移動ガイド手段のガイドローラと不動ガイド手段のガイドローラが接触して力骨の送り移動がなされるときを示す図である。
【図１７】図１６とは幅寸法が異なる力骨の送り移動がなされるときを示す図である。
【図１８】接着剤塗布ガンから噴射された接着剤が付着している力骨のフランジ部を示す図である。
【図１９】図１８よりも高さ寸法が大きい力骨の場合を示す図１８と同様の図である。
【図２０】２個の接着剤塗布ガンが、これらのガンから噴射される接着剤の中心延長軸線が角度をなす傾斜姿勢となって配置されている場合に、この角度をなす面が水平面内における角度となっている実施形態を示す図１１と同様の図である。
【図２１】高さ寸法が異なる各種の力骨について、力骨に対してそれぞれの接着剤塗布ガンを進退可能として対処した実施形態を示す図１１と同様の図である。
【符号の説明】
【００９１】
１  建材パネルである上吊り式引戸
２  面材
６、１０６，２０６，３０６  力骨
９  ウェブ部
１０，１１０，２１０，３１０  面部であるフランジ部
６０，６１  ワーク送り手段
６６  不動ガイド手段
６７  移動ガイド手段
７２，７４  ガイドローラ
７７，８０  接着剤塗布ガン
８１  ガン本体
８２  接着剤噴射ノズル
１００  ワーク検出手段
１０１  制御装置
Ａ  ２個の接着剤塗布ガンについての力骨の長さ方向のずれ量
Ｎ１，Ｎ２  接着剤塗布ガンから噴射される接着剤の中心延長軸線
α，β  ２個の接着剤塗布ガンが、これらのガンから噴射される接着剤の中心延長軸線が角度をなす傾斜姿勢となって配置されている場合におけるこの角度
【図１】
2005288225.tif 000003
【図２】
2005288225.tif 000004
【図３】
2005288225.tif 000005
【図４】
2005288225.tif 000006
【図５】
2005288225.tif 000007
【図６】
2005288225.tif 000008
【図７】
2005288225.tif 000009
【図８】
2005288225.tif 000010
【図９】
2005288225.tif 000011
【図１０】
2005288225.tif 000012
【図１１】
2005288225.tif 000013
【図１２】
2005288225.tif 000014
【図１３】
2005288225.tif 000015
【図１４】
2005288225.tif 000016
【図１５】
2005288225.tif 000017
【図１６】
2005288225.tif 000018
【図１７】
2005288225.tif 000019
【図１８】
2005288225.tif 000020
【図１９】
2005288225.tif 000021
【図２０】
2005288225.tif 000022
【図２１】
2005288225.tif 000023